(57)【要約】【課題】接栓が固定された状態で壁面パネルのかしめ部分において熱や外力による接栓のがたつきを抑制した接栓の固定構造を提供する。【解決手段】接栓３のシェル３Ａは、フランジ部３Ａａの一側に筒状かしめ部３Ａｂを、他側に接続部３Ａｃを備える。壁面パネル２Ａは、六角穴２Ａａ周囲に凹み２Ａｂを設けることでその周囲の少なくとも一部が予め屈曲変形されて第１の状態とされたものである。接栓３の筒状かしめ部３Ａｂをかしめて接栓３を壁面パネル２Ａに固定した状態で、前記屈曲変形部分が、前記第１の状態になる方向に変形しようとする弾性力を残して、前記接栓の軸線方向において圧縮弾性変形している第２の状態となっている。【選択図】  図１
2010003447.tif 000002
【特許請求の範囲】
【請求項１】
電子機器ケースの壁面パネルに取付孔を形成し、前記取付孔に対し接栓をかしめにより固定する接栓の固定構造であって、
前記接栓のシェルは、取付フランジ部の一側に前記筒状かしめ部を備えるものである一方、前記壁面パネルは、前記取付孔周囲の少なくとも一部が予め屈曲変形されている第１の状態となっているものであり、
前記接栓の筒状かしめ部をかしめて前記接栓を壁面パネルに固定した状態で、前記屈曲変形部分が、前記第１の状態になる方向に変形しようとする弾性力を残して、前記接栓の軸線方向において圧縮変形している第２の状態となっていることを特徴とする接栓の固定構造。
【請求項２】
電子機器ケースの壁面パネルに取付孔を形成し、前記取付孔に対し接栓をかしめにより固定する接栓の固定構造であって、
前記接栓のシェルは、取付フランジ部の一側に前記筒状かしめ部を備え、前記取付フランジ部の、前記一側の面に少なくとも１つの湾曲凸部が形成されているものであり、
前記接栓の筒状かしめ部をかしめて前記接栓を前記壁面パネルに固定した状態で、前記壁面パネルは、前記取付孔周囲の少なくとも一部が、元の状態になる方向に変形しようとする弾性力を残して、前記接栓の軸線方向において圧縮変形している部分となっていることを特徴とする接栓の固定構造。
【請求項３】
前記取付孔は多角形孔で、前記筒状かしめ部の断面形状が前記取付孔の形状に対応した形状であることを特徴とする請求項１または２記載の接栓の固定構造。
【発明の詳細な説明】
【技術分野】
【０００１】
本発明は、電子機器ケースにおける接栓の固定構造に関するものである。
【背景技術】
【０００２】
従来より、電子機器ケース（例えばシールドケース）の壁面パネルに取付孔が形成され、前記取付孔に対し接栓がかしめにより固定される接栓の固定構造は知られている。
【０００３】
そのような接栓のシェルとしては真鍮製のものを使用し、前記接栓のシェルは、取付フランジ部の一側に筒状かしめ部を、他側に雄ねじ状の接続部を備えるものであり、その筒状かしめ部を下穴としての円形状の取付孔に挿入し、前記筒状かしめ部に小判型のポンチを適用してかしめていた。
【０００４】
ところが、近年、そのような真鍮製のものよりさらにコストダウンを図るために、亜鉛ダイカスト製のシェルが採用されるようになっている。このようなシェルは、低靱性であるため、大きな変形を伴うかしめには不向きである。
【０００５】
そこで、接栓のシェル側に、端子パネル側の取付孔に挿入される円板状のフランジ部を設けるとともに、端子パネルに接合する一対の挿入止め部を設ける一方、端子パネル側に１対のかしめ片を設け、これらのかしめ片で挿入止め部の間でフランジ部をかしめることで固定することが提案されている（例えば、特許文献１参照）。
【特許文献１】特開２００４−２２７９１２号公報（図１参照）
【発明の開示】
【発明が解決しようとする課題】
【０００６】
しかしながら、特許文献１に記載のものでは、端子パネル（壁面パネル）側に１対のかしめ片を設ける一方、接栓側に１対の挿入止め部を設けるので、構造が複雑である。
【０００７】
そこで、発明者は、接栓が固定された状態で壁面パネルのかしめ部分において弾性変形（バネ機能）を持たせるようにすれば、接栓の低靱性を補えることに着想し、熱や外力により亜鉛ダイカスト製シェルにやせが起きた場合でも接栓のがたつきを回避できる本発明をなすに至ったものである。
【０００８】
この発明は、接栓が固定された状態で壁面パネルのかしめ部分において熱や外力による接栓のがたつきを抑制した接栓の固定構造を提供することを目的とする。
【課題を解決するための手段】
【０００９】
請求項１の発明は、電子機器ケースの壁面パネルに取付孔を形成し、前記取付孔に対し接栓をかしめにより固定する接栓の固定構造であって、
前記接栓のシェルは、取付フランジ部の一側に前記筒状かしめ部を備えるものである一方、前記壁面パネルは、前記取付孔周囲の少なくとも一部が予め屈曲変形されている第１の状態となっているものであり、前記接栓の筒状かしめ部をかしめて前記接栓を壁面パネルに固定した状態で、前記屈曲変形部分が、前記第１の状態になる方向に変形しようとする弾性力を残して、前記接栓の軸線方向において圧縮変形している第２の状態となっていることを特徴とする。ここで、「前記第１の状態になる方向に変形しようとする弾性力を残して、」とは、かしめが解除されたときに第１の状態に完全に復元するまでの弾性力ではなく、前記第１の状態に復元しようとする弾性力が少しでも残っていればよいことを意味し、「前記接栓の軸線方向において圧縮変形している」とは、前記屈曲変形部分の高さ（前記接栓の軸線方向の長さ）が第１の状態の時よりも低くなっていることを意味する。
【００１０】
このようにすれば、前記接栓の筒状かしめ部をかしめて前記接栓を壁面パネルに固定した状態で、前記取付孔周囲に位置する屈曲変形部分は、元の状態になる方向に変形しようとする弾性力を残して、前記接栓の軸線方向において圧縮変形している弾性変形状態（第２の状態）にある。これにより、かしめ部分に緩みやがたつきが生じるように変形（いわゆる痩せが生じようと）しようとしても、その残っている弾性力により、前記隙間が生じようとする変形が吸収され、かしめ強度の低下（緩みやがたつき）が回避される。
【００１１】
また、請求項２の発明は、電子機器ケースの壁面パネルに取付孔を形成し、前記取付孔に対し接栓をかしめにより固定する接栓の固定構造であって、前記接栓のシェルは、取付フランジ部の一側に前記筒状かしめ部を備え、前記取付フランジ部の、前記一側の面に少なくとも１つの湾曲凸部が形成されているものであり、前記接栓の筒状かしめ部をかしめて前記接栓を前記壁面パネルに固定した状態で、前記壁面パネルは、前記取付孔周囲の少なくとも一部が、元の状態になる方向に変形しようとする弾性力を残して、前記接栓の軸線方向において圧縮変形している部分となっていることを特徴とする。
【００１２】
この場合も、前記壁面パネルは、前記取付孔周囲の少なくとも一部が、元の状態になる方向に変形しようとする弾性力を残して、前記接栓の軸線方向において圧縮変形している部分となっているので、かしめ部分に緩みやがたつきが生じるように変形しようとしても、請求項１の発明と同様に、前記残っている弾性力により、前記緩みやがたつきが生じようとする変形が吸収され、前記接栓の壁面パネルへの固定部分におけるかしめ強度の低下（緩みやがたつき）が回避される。
【００１３】
請求項３に記載のように、前記取付孔は、多角形孔で、前記筒状かしめ部の外周断面は、前記取付孔の形状に対応した形状であることが望ましい。
【００１４】
このようにすれば、多角形孔である取付孔と、それに対応した形状である筒状かしめ部との関係で、回転が規制され、回転保持力は高まる。よって、かしめ強度不足の解消と相俟って、壁面パネルへの接栓の安定した固定が実現される。
【発明の効果】
【００１５】
本発明は、上記のように、前記接栓の筒状かしめ部をかしめて前記接栓を壁面パネルに固定した状態で、前記壁面パネルの取付孔周囲の少なくとも一部が、元の状態（あるいは第１の状態）になる方向に変形しようとする弾性力を残して、前記接栓の軸線方向において圧縮変形しているようにしたので、接栓のシェルを壁面パネルにかしめて固定している部分に緩みやがたつきが生じようとしても、その緩みやがたつきに前記弾性変形している部分が追従して、緩みやがたつきの発生を抑制することができる。このように、かしめにより固定する際に、取付孔周囲の一部に、元の状態になる方向に変形しようとする弾性力を残して、前記接栓の軸線方向において圧縮変形している部分を残すようにするだけで、特に加工工程が増えることはないので、コストアップになることもなく、かしめ強度の低下を抑制した安定した固定を実現することができる。
【発明を実施するための最良の形態】
【００１６】
以下、本発明の実施の形態を図面に沿って説明する。
（第１の実施の形態）
図１（ａ）は本発明に係る接栓の固定構造が用いられた電子機器を示す正面図、図１（ｂ）は同底面図、図２は接栓の断面図である。
【００１７】
図１（ａ）（ｂ）に示すように、電子機器１は、ケーシング２（板金シャーシ）の１つの壁面パネル２Ａに２つの接栓３，３がかしめにより固定されている。このケーシング２は、板金を箱状に折り曲げて形成されており、そのうちの１つの壁面パネル２Ａには、接栓取付孔としての六角穴２Ａａが設けられている。この六角穴２Ａａの周囲には、接栓３が固定される前に、所定深さの凹み２Ａｂがそれぞれ形成され、その部分では壁面パネル２Ａが予め屈曲変形している（第１の状態）。つまり、壁面パネル２Ａに単に凹みが形成されているだけではなく、凹んでいる側とは反対側にその凹み２Ａｂに対応する湾曲凸部が形成されるようになっている。
【００１８】
また、図２（ａ）（ｂ）に示すように、接栓３（図面上、コンタクトなどの内部構造省略）のシェル３Ａは、亜鉛ダイカスト製で、円形のフランジ部３Ａａを有し、そのフランジ部３Ａａの一方の側に六角筒形状の筒状かしめ部３Ａｂが設けられている。フランジ部の３Ａａの他側には同軸ケーブル（図示せず）が接続される接続部３Ａｃとなっている。
【００１９】
この接栓３の壁面パネル２Ａへの取付けは、まず、図３の左側部分に示すように、接栓３の筒状かしめ部３Ａｂを表側から壁面パネル２Ａの六角穴２Ａａに差し込み、その差し込んだ状態で筒状かしめ部３Ａｂを、裏側から所定形状のポンチ２１で一定の加圧力でもって押す。これによりポンチ２１によるかしめ作用により、筒状かしめ部３Ａｂが外側に押し広げられ、その押し広げられ部分（かしめ部３Ａｂ）がフランジ部３Ａａとの間にケーシング２の壁面パネル２Ａを挟むように変形するので、それらの間に壁面パネル２Ａの六角穴２Ａａの周囲部分が挟まされて固定される。
【００２０】
この固定状態では、フランジ部３Ａａと筒状かしめ部３Ａｂとの間において、壁面パネル２Ａの六角穴２Ａａ周囲の凹み２Ａｂによる屈曲変形部分は、フランジ部３Ａａに沿うように平坦になる方向に撓ませた状態に押圧されている。そして、六角穴２Ａａの周囲において、撓み変形している部分は、元の形状の凹み２Ａｂを有する第１の状態になる方向に変形しようとする弾性力を残して、接栓３の軸線方向において圧縮弾性変形している状態（第２の状態）となっている。つまり、壁面パネル２Ａの六角穴２Ａａ周囲の部分が、いわゆるスプリングワッシャ的な機能を発揮するようになっている。
【００２１】
よって、かしめ作業終了後、あるいはその後何らかの原因によって、壁面パネル２Ａの六角穴２Ａａの周囲部分と、フランジ部３Ａａあるいは筒状かしめ部３Ａｂとの間に緩み（隙間）やがたつきが生じてかしめ強度不足になろうとしても、かしめ時に押し潰された凹み２Ａｂによる屈曲変形部分がスプリング効果を発揮することから、そのような緩みやがたつきが生じるのを打ち消す方向に変形し、ガタつきの発生が回避される。
【００２２】
それに加えて、ケーシング２内に内部基板（図示せず）をはんだ付けする際などにおいても、壁面パネル２Ａ（ケーシング２）と接栓３のシェル３Ａとの熱膨張率の相違から、万一シェル３Ａにいわゆる痩せが生じても、前述した場合と同様に、その痩せが生じるのを打ち消す方向に前記屈曲変形部分が弾性変形して、かしめ強度不足になろうとするのが解消される。よって、このような場合にも、凹み２Ａｂを設けることが有利に作用する。
【００２３】
前述した実施の形態では、壁面パネル２Ａの取付孔を、六角穴２Ａａとしているが、本発明はそれに制限されるものではなく、小判形状の穴や他の多角形の穴でもよい。凹みを設ける数や配置も特に制限されないのはいうまでもない。
【００２４】
前記第１の実施の形態においては、接栓３をかしめにより固定した状態では、六角穴２Ａａ（取付孔）周囲の少なくとも一部が、第１の状態になる方向に変形しようとする弾性力を残して、接栓３の軸線方向において圧縮弾性変形している部分となるように、壁面パネル２Ａに予め凹み２Ａｂを設けるようにしているが、本発明はそれに限定されるものではなく、次の第２の実施の形態のように構成しても、同様の効果を得ることができる。
（第２の実施の形態）
この実施の形態では、壁面パネル２Ａに予め凹み２Ａｂを設けるのに代えて、壁面パネル２Ａはフラットな面そのままとして、図４に示すように、接栓３のフランジ部３Ａａの、筒状かしめ部３Ａｂを設ける側に緩やかな湾曲凸部３Ａａａ（高さΔＬ）を設けている。これにより、シェル３Ａの筒状かしめ部３Ａｂをかしめて接栓３を壁面パネル３Ａに固定した状態で、取付孔周囲の少なくとも一部が、元の状態になる方向に変形しようとする弾性力を残して、接栓３の軸線方向において圧縮弾性変形している部分となる。
【００２５】
このようにすれば、六角穴２Ａａの周囲において、撓み変形している部分は、図５に示すように、六角穴２Ａａの周囲の一部が他部に対して湾曲凸部３Ａａａの高さに相当するΔＬ程度のずれが生じるように撓んでおり、元の状態になる方向に変形しようとする弾性力を残して、接栓３の軸線方向において圧縮弾性変形している。つまり、壁面パネル２Ａの六角穴２Ａａ周囲の部分が、元の状態になる方向に変形しようとする弾性変形状態になり、いわゆるスプリングワッシャ的な弾性機能を発揮するようになっている。
【図面の簡単な説明】
【００２６】
【図１】（ａ）は本発明の第１の実施の形態に係る接栓の固定構造が用いられた電子機器を示す正面図、（ｂ）は同底面図である。
【図２】第１の実施の形態の接栓の断面図である。
【図３】第１の実施の形態についてのかしめ作業の説明図である。
【図４】第２の実施の形態についての説明図である。
【図５】第２の実施の形態についてのかしめ状態の説明図である。
【符号の説明】
【００２７】
１    電子機器
２    ケーシング
２Ａ    壁面パネル
２Ａａ    六角穴
２Ａｂ    凹み
３    接栓
３Ａ    シェル
３Ａａ    フランジ部
３Ａａａ    湾曲凸部
３Ａｂ    筒状かしめ部
３Ａｃ    接続部
【図１】
2010003447.tif 000003
【図２】
2010003447.tif 000004
【図３】
2010003447.tif 000005
【図４】
2010003447.tif 000006
【図５】
2010003447.tif 000007